(57)【要約】【課題】  茶漉しの手軽さと、ティーバッグ、テトラパック等の取り扱い易さを組み合わすことにより、より容易に嗜好飲料を抽出し、飲むことが出来るように考えた。嗜好飲料抽出に伴う一連の煩わしさを省くだけでなく、簡単に美味しい飲料を得ることが出来ることを課題とする。【解決手段】  成分抽出用食品バッグを含む濾過資材を成分抽出中、漏斗形に保持する保持具を発明し、その発明と色々な形の濾過資材の組み合わせにより課題を解決する。【選択図】      図２
2005334401.tif 000002
【特許請求の範囲】
【請求項１】
被抽出物を収納する濾過資材を、その成分抽出中、漏斗状に保持し、成分抽出液の通水孔を有する漏斗形本体と、その本体を成分抽出液採集容器に安定的に据え付け、その状態で、被抽出物を成分抽出液に浸漬可能にする把持部とフックを有する据え付け具を備えた濾過資材保持具。
【請求項２】
被抽出物を予め封入した略三角錐の食品バッグ、所謂テトラパックと、そのテトラパックを、成分抽出中、略逆三角錐の漏斗状に保持する請求項１の濾過資材保持具を組み合わせた成分抽出装置。
【請求項３】
長方形の濾過資材を中心で折り重ね、被抽出物を収納し、重なった３辺の縁部を密閉した略平面状の公知食品バッグの隣接する２辺を切り開き、その他の隣接する２辺側の側面で作る漏斗形の濾過資材と、その漏斗形の濾過資材を成分抽出中、漏斗状に保持する請求項１の濾過資材保持具を組み合わせた成分抽出装置。
【請求項４】
被抽出物を収納する漏斗形濾過資材の側面を内側に折り返す機構を請求項１の濾過資材保持具の漏斗形本体の下端内側に設けた濾過資材保持具。
【請求項５】
被抽出物を予め封入した略三角錐の食品バッグ、所謂テトラパックと、そのテトラパックを、成分抽出中、漏斗状に保持する請求項４の濾過資材保持具組み合わせた成分抽出装置。
【請求項６】
請求項１の濾過資材保持具の漏斗形本体の下端を一文字に閉じた濾過資材保持具。
【請求項７】
長方形の濾過資材を中心で折り重ね、被抽出物を収納し、重なった３辺の縁部を密閉した略平面状の食品バッグの一角に被抽出物の入り込まない三角コーナーを設けた五角形の食品バッグの三角コーナーを構成しない残り２辺を切り開いて作る漏斗形の濾過資材と請求項６の濾過資材保持具を組み合わせた成分抽出装置。
【発明の詳細な説明】
【技術分野】
【０００１】
本発明は、嗜好品のティーバッグを含む成分抽出用濾過資材を、その成分抽出中、一定の形に保持する保持具と、成分抽出装置に関するものである。
【背景技術】
【０００２】
一般にコーヒーの成分抽出には、コーヒー専用扇台形の濾過紙を漏斗状に開いて、専用濾過器にセットして、ポットの上に置いてドリップするか、予めコーヒーを封入したコーヒーバッグの本体に支持具を取り付け、コーヒーカップに掛けるか、カップ上に据え付け成分の抽出をしている。
【０００３】
一方、お茶や紅茶等は、急須や茶漉しに入れるか、ティーバッグにして急須等に入れて成分抽出をする。
【発明の開示】
【発明が解決しようとする課題】
【０００４】
被抽出物を収納する濾過資材を使用の度毎に処分することで、成分抽出に伴う煩わしさを省き、且つ容易に成分抽出を可能にすることを課題とする。
【課題を解決するための手段】
【０００５】
通水機構のある合成樹脂フィルムや金属板、或いは濾過資材等を、漏斗形に作った本体と、ポット等容器に据え付け可能にする据え付け具を備えた濾過資材保持具を発明し、この発明品と、略三角錐の食品バッグや三方シールの略平面状の食品バッグを組み合わせて課題を解決する。
【発明の効果】
【０００６】
使用時には、茶漉しの手軽さを感じ、使用後は食品バッグの使い捨ての便利さから成分抽出に伴う一連の煩わしさが無くなるし、濾過資材を成分抽出中、漏斗形に保持することで、注入する湯が被抽出物全体に行き渡り、抽出高率がよい。又、濾過資材保持具の本体が抽出液に浸漬出来るので、抽出液の濃度を好みにすることが可能である。
【発明を実施するための最良の形態】
【０００７】
正三角形の合成樹脂フィルムを一辺に平行に切った等脚台形３枚を溶融着させ、逆三角錐台を作り、その下部には通水孔を設け、その上部には把持部とフックを兼ねた据え付け具を備えた濾過資材保持具と、略三角錐の食品バッグ、所謂テトラパックとの組み合わせで本発明の実施が出来る。
【実施例１】
【０００８】
図１は、正三角形の合成樹脂フィルムより作った等脚台形の３枚を溶融着して作った逆三角錐台の本体１１と、その本体１１の各側面下部に通水孔１２を設け、上部開口部には把持部１５とフック１４を有する据え付け金具１３を備えた濾過資材保持具の斜視図で、
【０００９】
この濾過資材保持具に公知テトラパック１６を組み合わせた成分抽出装置の斜視図が図２である。
【００１０】
テトラパックに封入されている被抽出物１７と通水孔１２の高さの関係で成分抽出速度や抽出濃度が変わる。
【実施例２】
【００１１】
図３は、略平面状の公知の成分抽出用食品バッグの２辺を切り開き、出来た食品バッグ２１の斜視図で、この食品バッグ２１を図１の濾過資材保持具に組み合わせた成分抽出装置の斜視図が図４である。
【００１２】
注入する湯が被抽出物に直接当たるので、成分抽出高率がよい。
【実施例３】
【００１３】
被抽出物を収納する漏斗形濾過資材の側面を内側に折り返す異径管３１を、図１の濾過資材保持具の最下端内側に取り付け、テトラパックを組み合わせた成分抽出装置の斜視図が図５である。（但し、通水孔記入は図を複雑にするため省いた。）
【００１４】
この組み合わせは、テトラパックの尖端が持ち上げられた形になり、被抽出物の湯の通りが悪いものに効果がある。
【実施例４】
【００１５】
0.03m/mのポリエチレンフィルムを半円に切り取り、半径と半径を溶融着し逆円錐を作り、最下端の尖端を含む下部を一文字に、上面に平行に切り落とし、切り口を一文字に溶融着した本体４１と、その本体４１の側面下部に通水孔４２を設け、上部開口部にはステンレス鋼線で成分液採集容器に据え付け可能にする把持部４５とフック４４を有する据え付け具４３を備えた濾過資材保持具に、
【００１６】
略平面状の三方シールの食品バッグの一角に三角コーナー４８を設けた食品バッグの三角コーナーを構成しない２辺を切り開いて出来た、漏斗形の食品バッグ４６を組み合わせた成分抽出装置の斜視図が図６である。
【００１７】
この組み合わせは、漏斗形の濾過資材の底が持ち上げられた形になり成分抽出液採集容器の浅いものに適応し、抽出液に被抽出物を充分浸漬することが出来る。
【産業上の利用可能性】
【００１８】
本発明の、濾過資材保持具を、公知茶漉しタイプにすることでの手軽さ、便利さと、更に公知成分抽出用食品バッグの簡便性を組み合わせる本発明の成分抽出装置は利用価値が大きく産業化する可能性は高い。
【図面の簡単な説明】
【００１９】
【図１】本発明の濾過資材保持具の斜視図。（実施例１）
【図２】図１の濾過資材保持具と公知テトラパックを組み合わせた成分抽出装置の斜視図。（実施例１）
【図３】略平面状の公知食品バッグの２辺を切り開き、漏斗形にした斜視図。（実施例２）
【図４】図１の濾過資材保持具と図３の食品バッグを組み合わせた成分抽出装置の斜視図。（実施例２）
【図５】図１の濾過資材保持具本体の下端内側に異径管を取り付け、テトラパックを組み合わせた成分抽出装置の斜視図（但し、通水孔の記載を省く。）。（実施例３）
【図６】請求項６の濾過資材保持具に、三角コーナー付き食品バッグを、２辺で切り開き、漏斗形にして組み合わせた成分抽出装置の斜視図。（実施例４）
【符号の説明】
【００２０】
１１      濾過資材保持具本体
１２      通水孔
１３      据え付け具
１４      フック
１５      把持部
１６      テトラパック
１７      被抽出物
１８      テトラパックの尖端
２１      略平面状食品バッグの漏斗形に切り開いたバッグ
２２      被抽出物
２３      食品バッグの尖端
３１      濾過資材の漏斗形側面折返し用異径管
３２      テトラパック
３３      被抽出物
３４      テトラパックの尖端
４１      濾過資材保持具本体
４２      通水孔
４３      据え付け具
４４      フック
４５      把持部
４６      三角コーナー付食品バッグの漏斗形に切り開いたバッグ
４７      被抽出物
４８      食品バッグの三角コーナー
【図１】
2005334401.tif 000003
【図２】
2005334401.tif 000004
【図３】
2005334401.tif 000005
【図４】
2005334401.tif 000006
【図５】
2005334401.tif 000007
【図６】
2005334401.tif 000008